(57)【要約】      （修正有）【課題】自殺企図者の行動と一般観光客や釣客とを見分ける、自殺企図者に心の呼び掛け通報・対話する自殺防止監視通報システムを提供する。【解決手段】自殺企図者が身を投じて自殺を図る特定エリアにおいて、該エリアに侵入する者を検知する侵入者検知手段と侵入者検知手段で得て侵入者が自殺企図者か否かを識別する自殺企図者識別手段と、該自殺企図者と管理者とで対話する通報対話手段と、これらの情報を一括管理する管理センターにより構成する。【選択図】図１
0003158773.tif 000002
【実用新案登録請求の範囲】
【請求項１】
自殺企図者が身を投じて自殺を図る特定エリアにおいて、該エリアに侵入する者を検知する侵入者検知手段である高性能赤外線カメラと、
該侵入者検知手段で得て侵入者が自殺企図者か否かを識別する自殺企図者識別手段が、多くの自殺企図者の歩行、座り込み、立ち姿等の行動やその所用時間と携行物等をパターン化した情報と、前記赤外線カメラからの撮影画像を画像処理した情報等とから自殺企図者と識別するコンピューターと、
前記手段で識別した自殺企図者に予め録音した呼び掛け音声を流すスピーカーと、
自殺企図者と管理者との通報対話手段である固定電話や携帯電話と、
これらの情報を一括管理するモニタリング・管理コンピューターとレコーダ及びマイクとで構成したことを特徴として自殺防止監視通報システム。
【請求項２】
請求項１記載の高性能赤外線カメラが、自動探知・追尾機能を有する高性能赤外線カメラであることを特徴とした自殺防止監視通報システム。
【請求項３】
請求項１記載のスピーカーが平面波スピーカー或いは超指向性スピーカーであることを特徴とした自殺防止監視通報システム。
【考案の詳細な説明】
【技術分野】
【０００１】  本考案は自殺企図者を監視し救助する自殺防止監視通報システムに関するものである。
【背景技術】
【０００２】  昨今、自殺者が年間３万人を超え、自殺予防の取り組みが大きな社会的課題になっている。
本考案者が取り組んでいる、福井県の観光地である東尋坊は、  高さおよそ２５ｍの断崖絶壁が１ｋｍにわたり続き、過去３０年間で６００人以上が身を投じ、亡くなっています。
そこで、自殺者を無くそうと、昼間、ＮＰＯ法人のボランティアスタッフや地元の人とがパトロールをし、不審な人物を見つけた場合、声掛けなどを行なっています。しかし、夜間の飛び込みが多いのが実情です。夜のパトロールには危険が伴い、又、巡回する人材の確保は困難で、その活動には限界があります。
昼間は監視員によるパトロールと、夜間は無人の自動監視体制の両輪で自殺を防ぐことが急務であると考えた。
しかしながら、今日まで、下記のような防犯監視システムは多くの特許文献等で提案されているが、これらは、犯罪捜査を主目的としたもので、本考案のような自殺企図者を救助することを目的とした監視・救助の思想は皆無といえる。
【先行技術文献】
【特許文献】
【０００３】
【特許文献１】特開２００８−２９９９７８１
【考案の概要】
【考案が解決しようとする課題】
【０００４】  そこで、考案者は永年にわたり、自殺企図者の行動と一般の観光者或いは釣客の行動を監視分析したところ次の様な特徴があることを知見した。
（１）  自殺企図者の行動
岩場のような危険な場所に長時間座り込み（約３０分程度）、行動が鈍く、長時間考え込んでいる。又、日が沈み、人影も居なくなった時間帯が多い。
更に、自殺企図者は皆生き続けていたいが、受動的で自分の悩みを優しく聞いてくれる人、心の助けを待っている。
（２）  一般の観光客の行動
立ったまま周囲を見廻して早めに立ち去る。約１０分程度  ほとんど座り込む事がない。
（３）  釣客の行動
釣り具を持ち、崖下に降りる。（１０分程度）【０００５】そこで、本考案の課題は、自殺企図者の行動と一般観光客や釣客とを見分けるシステムと、自殺企図者に心の呼び掛け通報・対話する新規なシステム、即ち、自殺防止監視通報システムを提供する。
【課題を解決するための手段】
【０００６】  考案者は上記の知見に基づき、少なくとも次のような手段で構成する自殺防止監視通報システムを考案した。
（１）  夜間でも特定エリアに侵入した人を検知する手段。即ち、侵入者検知手段。
（２）  上記の情報を画像処理し多くの自殺企図者の各行動をパターン化しコンピューターで侵入者が自殺企図者か否かを識別する自殺企図者識別手段。
（３）  自殺企図者に呼び掛け、対話する手段。即ち、通報対話手段。
（４）  自殺企図者の行動を監視・管理する一括管理手段。
以上のような手段で構成した。【０００７】  上記の手段をより詳細に説明する。
侵入者検知手段とは
夜間でも特定エリアに侵入した人の行動が鮮明で明瞭に検知する侵入検知手段は、高性能な赤外線カメラが要求される。
ここで言う高性能とは、暗闇や悪天候、雪、濃霧、煙の中でも、遠方から特定エリアに侵入したものを鮮明で明瞭な赤外線画像で捕らえることをいう。
特定狭エリアを監視するには固定赤外線カメラで、広域エリアを一台のカメラで監視するには旋回式赤外線カメラが適している。又、追尾機能を有するものでもよい。【０００８】    自殺企図者識別手段には次の機能が要求される。
（１）  侵入物体が人間か小動物かを見分ける機能がある。
（２）  多くの自殺企図者の各行動、即ち、歩行、座り込み、立っている姿等の行動をパターン化し、且つ、所用時間等から自殺企図者か否かを識別できる機能がある。
（３）  携行物の確認ができる機能がある。
（４）  予め設定した警戒ラインに侵入したか否かの検知機能がある。
（６）  自殺企図者のプライバシー保護を図る機能がある。
（７）  自殺企図者と識別した際、管理者への通報、自殺企図者に呼び掛ける等の指令を発する機能がある。
（８）  上記通報は管理センターに通報すると同時に、管理者の携帯電話にも画像を送信し自殺企図者の侵入を通報する機能がある。【０００９】    通報対話手段とは
（１）  上記自殺企図者識別手段からの指令で、管理センターに通報すると同時に、管理者の携帯電話にも画像を送信し自殺企図者の侵入を通報する手段。
（２）  上記自殺企図者識別手段からの指令で、自動的に予め録音されている呼び掛け音声を自殺企図者に優しく語り掛ける手段。
（３）  管理センターでは、コンピューターの映像を見ながら危険な際にはマイクで直接呼び掛ける手段。
（４）  自殺企図者は呼び掛けに応じて、近くの公衆電話から管理者と対話する。
公衆電話ボックス内には、管理者の電話番号を明記しておく。
（５）  通報対話手段の一手段として、サーチライトを投光する。
（６）  スピーカーは必ずしも限定するものではないが自殺企図者を重視した平面波スピーカーとか超指向性スピーカーが適している。【００１０】    一括管理の機能とは
（１）  赤外線カメラや自殺企図者識別手段からの情報をネットワーク化し、管理センター内のモニタリング・管理コンピューター等で構成する。
（２）  画像を見ながら、危険なときは直接マイクで呼び掛ける。
（３）  自殺企図者と対話できる電話器をおく。
（４）  赤外線カメラや自殺企図者識別手段からの情報を、レコーダに録画し、何時でも再生可能にする。
尚、一括管理の機能を特定エリアの近傍に設置してもよいし、警備会社等に委託して遠隔地に設置してもよい。
【考案の効果】
【００１１】本考案のシステム導入によって、次のような効果が生じた。
（１）  自殺企図者をいち早く発見・保護ができ、地球より重いといわれる尊い人命の救助が可能になった。これに勝る効果はない。
（２）  危険な夜間のパトロールが軽減できる。
（３）  高性能な赤外線カメラを使用することによって、如何なる条件下でも監視が可能である。
（４）  画像処理でプライバシーの保護が図れる。
（５）  平面波スピーカーを使用することによって、自殺企図者に優しく話し掛けることができ、自殺企図者も踏み止まる心の誘因になる。
（６）  携帯電話とネットワーク化するなど通信網を完備することによって、何時でも救助体制が可能になった。
【図面の簡単な説明】
【００１２】
【図１】  ４箇所の狭エリアで実施した各機器の系統図を示す。
【考案を実施するための形態】
【００１３】  本考案の実施例図１に基づき説明する。
【実施例】  東尋坊は、東側広場、中央メインと中央ベンチ、  西側広場の４カ所が危険な地域とさ  れている。
これら各地域を監視するには、図１の様に、侵入者検知手段として高性能赤外線カメラ  （１）を設置し、該赤外線カメラからの情報から侵入者が自殺企図者であるか否かを判断する。
自殺企図者検知ユニットＴＲＫ，アナログ／デジタル信号変換器ＶＢ，マイクロコンピューターＭＰＣ，信号切替ＨＵＢ，サージプロテクターＨＵＢ等を組み込み、自殺企図者に呼び掛ける平面波スピーカーを設置した。  これら各地の情報をインターネット化して管理センターに送信する。
管理センターではモニタリング・管理コンピューター、ネットワークレコーダ、マイクを設置する。又、自殺企図者と対話出来るよう特定エリアと管理センターに電話器を設置した。
更に、ＭＰＣを介して、携帯電話で現場の状況監視や、自殺企図者の呼び掛けも可能にしています。
図示しないが自殺企図者に向かってサーチライトを投光することも可能である。【００１４】  数カ所の狭域エリアを図１の様なシステムで監視する一実施例であるが、広域エリアを一台の機器で管理するには、旋回式赤外線カメラとか超指向性スピーカー及び旋回式サーチライトの使用が適している。尚、侵入者の自動探知・追尾機能を持った旋回式赤外線カメラも適している。
【符号の説明】
【００１５】  １  カメラ
２  スピーカー
３  携帯電話
【図１】
0003158773.tif 000003